(57)【要約】【課題】複数の形態の衛生用薄葉紙に対して使用することができる衛生用薄葉紙収納容器を提供する。【解決手段】袋状に形成され、内部に収納された衛生用薄葉紙Ｐを取り出す取出孔２２１を有する外装部２と、外装部２内に収納され、外装部２を支える骨格部１と、を備え、骨格部１は、変形可能に形成されている。【選択図】図１
2019137407.tif 000002
【特許請求の範囲】
【請求項１】
袋状に形成され、内部に収納された衛生用薄葉紙を取り出す取出孔を有する外装部と、
前記外装部内に収納され、前記外装部を支える骨格部と、
を備え、
前記骨格部は、変形可能に形成されていることを特徴とする衛生用薄葉紙収納容器。
【請求項２】
前記骨格部は、水平方向に対して鉛直方向が長い形状と、鉛直方向に対して水平方向が長い形状と、に変形させることができることを特徴とする請求項１に記載の衛生用薄葉紙収納容器。
【請求項３】
前記骨格部は、
矩形状に形成された第一枠部材と、
矩形状に形成された第二枠部材と、
を備え、
前記第一枠部材と前記第二枠部材とは、長辺の中央部において交差するように接続され、その接続部において回動可能とされていることを特徴とする請求項１又は２に記載の衛生用薄葉紙収納容器。
【請求項４】
矩形状に形成された第三枠部材と、
矩形状に形成された第四枠部材と、
をさらに備え、
前記第三枠部材と前記第四枠部材とは、長辺の中央部において交差するように接続され、その接続部において回動可能とされ、
前記第一枠部材と前記第三枠部材とは、前記第一枠部材の上端部と、前記第三枠部材の下端部とにおいて接続され、その接続部において回動可能とされ、
前記第二枠部材と前記第四枠部材とは、前記第二枠部材の上端部と、前記第四枠部材の下端部とにおいて接続され、その接続部において回動可能とされていることを特徴とする請求項３に記載の衛生用薄葉紙収納容器。
【請求項５】
前記骨格部は、１２本の辺部によって、略直方体状に形成され、
各辺部の中央部には、長さを調整するための調整部が備えられていることを特徴とする請求項１又は２に記載の衛生用薄葉紙収納容器。
【発明の詳細な説明】
【技術分野】
【０００１】
本発明は、ウェットシートやウェットティッシュ等の衛生用薄葉紙を収納する衛生用薄葉紙収納容器に関する。
【背景技術】
【０００２】
従来、家屋の床若しくはトイレ又は人体などを拭くための衛生用薄葉紙を収納する衛生用薄葉紙収納容器として、ロール状態の衛生用薄葉紙を収納することを想定した容器（例えば、特許文献１参照。）と、積層状態の衛生用薄葉紙を収納することを想定した容器（例えば、特許文献２参照。）と、が知られている。
【先行技術文献】
【特許文献】
【０００３】
【特許文献１】特開２０１０−２８０４３１号公報
【特許文献２】特開２０１７−３０８６５号公報
【発明の概要】
【発明が解決しようとする課題】
【０００４】
このような衛生用薄葉紙収納容器においては、特定の形態の衛生用薄葉紙にのみ使用されることが予定されていることから、衛生用薄葉紙の形態に対応した専用の容器を使用する必要があり、複数の形態の衛生用薄葉紙に対し、単一の容器で対応することはできなかった。
【０００５】
本発明の課題は、複数の形態の衛生用薄葉紙に対して使用することができる衛生用薄葉紙収納容器を提供することである。
【課題を解決するための手段】
【０００６】
上記課題を解決するために、請求項１に記載の発明は、衛生用薄葉紙収納容器において、
袋状に形成され、内部に収納された衛生用薄葉紙を取り出す取出孔を有する外装部と、
前記外装部内に収納され、前記外装部を支える骨格部と、
を備え、
前記骨格部は、変形可能に形成されていることを特徴とする。
本発明によれば、衛生用薄葉紙収納容器を、複数の形態の衛生用薄葉紙に対して使用することができる。
【０００７】
請求項２に記載の発明は、請求項１に記載の衛生用薄葉紙収納容器において、
前記骨格部は、水平方向に対して鉛直方向が長い形状と、鉛直方向に対して水平方向が長い形状と、に変形させることができることを特徴とする。
本発明によれば、衛生用薄葉紙収納容器を、水平方向に長い衛生用薄葉紙収納容器と、鉛直方向に長い衛生用薄葉紙収納用機の両者に対して使用することができる
【０００８】
請求項３に記載の発明は、請求項１又は２に記載の衛生用薄葉紙収納容器において、
前記骨格部は、
矩形状に形成された第一枠部材と、
矩形状に形成された第二枠部材と、
を備え、
前記第一枠部材と前記第二枠部材とは、長辺の中央部において交差するように接続され、その接続部において回動可能とされていることを特徴とする。
本発明によれば、衛生用薄葉紙収納容器を、複数の形態の衛生用薄葉紙に対して使用することができる。
【０００９】
請求項４に記載の発明は、請求項３に記載の衛生用薄葉紙収納容器において、
矩形状に形成された第三枠部材と、
矩形状に形成された第四枠部材と、
をさらに備え、
前記第三枠部材と前記第四枠部材とは、長辺の中央部において交差するように接続され、その接続部において回動可能とされ、
前記第一枠部材と前記第三枠部材とは、前記第一枠部材の上端部と、前記第三枠部材の下端部とにおいて接続され、その接続部において回動可能とされ、
前記第二枠部材と前記第四枠部材とは、前記第二枠部材の上端部と、前記第四枠部材の下端部とにおいて接続され、その接続部において回動可能とされていることを特徴とする。
本発明によれば、鉛直方向に非常に長い衛生用薄葉紙を収納可能とすることができる。
【００１０】
請求項５に記載の発明は、請求項１又は２に記載の衛生用薄葉紙収納容器において、
前記骨格部は、１２本の辺部によって、略直方体状に形成され、
各辺部の中央部には、長さを調整するための調整部が備えられていることを特徴とする。
本発明によれば、衛生用薄葉紙収納容器を、複数の形態の衛生用薄葉紙に対して使用することができる。
【発明の効果】
【００１１】
本発明によれば、複数の形態の衛生用薄葉紙に対して使用することができる衛生用薄葉紙収納容器を提供することができる。
【図面の簡単な説明】
【００１２】
【図１】実施形態に係る衛生用薄葉紙収納容器の斜視図である。
【図２】（ａ）は、実施形態に係るロール状衛生用薄葉紙の斜視図、（ｂ）は、実施形態に係る積層状衛生用薄葉紙の斜視図である。
【図３】実施形態に係る衛生用薄葉紙収納容器の骨格部の斜視図である。
【図４】（ａ）は、骨格部を上下方向に伸ばした状態における実施形態に係る衛生用薄葉紙収納容器の斜視図、（ｂ）は、骨格部を左右方向に伸ばした状態における実施形態に係る衛生用薄葉紙収納容器の斜視図である。
【図５】変形例１に係る衛生用薄葉紙収納容器の骨格部の斜視図である。
【図６】変形例２に係る衛生用薄葉紙収納容器の骨格部の斜視図である。
【発明を実施するための形態】
【００１３】
以下、本発明の実施形態である衛生用薄葉紙収納容器の具体的な態様について、図１から図６に基づいて説明する。ただし、本発明の技術的範囲は、図示例に限定されるものではない。
なお、以下においては、図１に示すように、Ｘ軸、Ｙ軸及びＺ軸並びに前後方向、左右方向及び上下方向を定めて説明する。すなわち、外装部２の取出孔２２１が形成された側を「上」、その反対側を「下」、外装部２の側部開閉部２１２が形成された側を「右」、その反対側を「左」、右側を向いた状態における右手側を「前」、右側を向いた状態における左手側を「後」とし、前後方向に沿った軸をＸ軸、左右方向に沿った軸をＹ軸、上下方向の沿った軸をＺ軸とする。
また、この場合、上下方向が鉛直方向となり、鉛直方向に対し垂直な面、すなわちＸＹ面に平行な方向が水平方向となる。
【００１４】
［実施形態の構成］
｛全体構成｝
衛生用薄葉紙収納容器１００は、図１に示すように、衛生用薄葉紙収納容器１００の骨組みとなる骨格部１と、骨格部１の周囲を覆い、衛生用薄葉紙収納容器１００の外装を形成する外装部２と、を備え、内部に衛生用薄葉紙Ｐを収納できる空間が形成されている。
【００１５】
｛衛生用薄葉紙｝
衛生用薄葉紙Ｐとしては、例えば、図２（ａ）に示すロール状衛生用薄葉紙Ｐ１又は図２（ｂ）に示す積層状衛生用薄葉紙Ｐ２が使用される。
ロール状衛生用薄葉紙Ｐ１は、長大なウェットシート、ウェットティッシュ等がロール状に巻かれたものであり、長さ方向に一定間隔をおいてミシン目が施されており、そのミシン目に沿って所定の長さで切り離して使用することができる。
積層状衛生用薄葉紙Ｐ２は、小型のウェットシート、ウェットティッシュ等が交互に折り重ねられた状態で積層され、１枚のウェットシート、ウェットティッシュ等を引き出した際に次のウェットシート、ウェットティッシュ等も引き出されるように形成された、所謂ポップアップ式のシートである。
【００１６】
｛骨格部｝
骨格部１は、第一枠部材１１と、第二枠部材１２と、第一接続ピン１３１と、第二接続ピン１３２と、を備え、図３に示すように、第一枠部材１１と、第二枠部材１２とが、交差するようにして第一接続ピン１３１及び第二接続ピン１３２によって接続され、その接続部において回動可能となっている。
【００１７】
（第一枠部材）
第一枠部材１１は、図３に示すように、４本の棒状の部材、すなわち第一前辺部１１１と、第一後辺部１１２と、第一上辺部１１３と、第一下辺部１１４と、を有し、第一上辺部１１３が、第一前辺部１１１の上端部と、第一後辺部１１２の上端部とを繋ぎ、第一下辺部１１４が、第一前辺部１１１の下端部と、第一後辺部１１２の下端部とを繋ぐ矩形状の部材である。また、第一前辺部１１１の中央部に、前後方向にこれを貫通する中央部接続孔１１１ａを備え、第一後辺部１１２の中央部に、前後方向にこれを貫通する中央部接続孔（図示せず。）を備える。
第一枠部材１１を形成する材料としては、衛生用薄葉紙収納容器１００の形状を保つことができる強度を有する硬質な材料であれば任意の材料を使用可能であるが、軽量かつ耐久性のある材料であることが好ましく、例えば、鉄、アルミ等の金属や、ＰＥ（ポリエチレン）、ＰＰ（ポリプロピレン）、ＰＥＴ（ポリエチレンテレフタレート）、ＡＢＳ等の樹脂が用いられる。
【００１８】
長辺となる第一前辺部１１１及び第一後辺部１１２は、好ましくは160ｍｍから200ｍｍ、さらに好ましくは160ｍｍから180ｍｍの長さとなるように形成され、短辺となる第一上辺部１１３及び第一下辺部１１４は、好ましくは120ｍｍから150ｍｍ、さらに好ましくは120ｍｍから135ｍｍの長さとなるように形成される。
なお、第一前辺部１１１、第一後辺部１１２、第一上辺部１１３及び第一下辺部１１４の断面形状としては、図３においては矩形状となる場合につき図示したが、これに限られず、例えば、円形、楕円形等となるように形成されていてもよい。
【００１９】
（第二枠部材）
第二枠部材１２は、図３に示すように、４本の棒状の部材、すなわち、第二前辺部１２１と、第二後辺部１２２と、第二上辺部１２３と、第二下辺部１２４と、を有し、第二上辺部１２３が、第二前辺部１２１の上端部と、第二後辺部１２２の上端部とを繋ぎ、第二下辺部１２４が、第二前辺部１２１の下端部と、第二後辺部１２２の下端部とを繋ぐ矩形状の部材である。また、第二前辺部１２１の中央部に、前後方向にこれを貫通する中央部接続孔（図示せず。）を備え、第二後辺部１２２の中央部に、前後方向にこれを貫通する中央部接続孔１２２ａを備える。
第二枠部材１２を形成する材料としては、第一枠部材１１と同様、例えば、鉄、アルミ等の金属や、ＰＥ（ポリエチレン）、ＰＰ（ポリプロピレン）、ＰＥＴ（ポリエチレンテレフタレート）、ＡＢＳ等の樹脂が用いられる。
【００２０】
第二前辺部１２１及び第二後辺部１２２は、第一枠部材１１の第一前辺部１１１及び第一後辺部１１２と同一の長さとなるように形成される。
また、第二上辺部１２３及び第二下辺部１２４は、第一枠部材１１の第一上辺部１１３及び第一下辺部１１４と比較して、第一前辺部１１１及び第一後辺部１１２の前後方向の幅の分短く形成されている。
これによって、図３に示すように、第一枠部材１１の内側に、第二枠部材１２が挿入され、第一前辺部１１１の後側と第二前辺部１２１の前側とがそれぞれの中央部で接し、第一後辺部１１２の前側と第二後辺部１２２の後側とがそれぞれの中央部で接した状態とすることができる。
【００２１】
（第一接続ピン及び第二接続ピン）
図３に示すように、第一接続ピン１３１は、第一前辺部１１１の中央部接続孔１１１ａと、第二前辺部１２１の中央部接続孔（図示せず。）と、を挿通する部材であり、第二接続ピン１３２は、第一後辺部１１２の中央部接続孔（図示せず。）と、第二後辺部１２２の中央部接続孔１２２ａとを挿通する部材である。
これによって、図３に示すように、第一枠部材１１の内側に第二枠部材１２が挿入され、第一前辺部１１１の後側と第二前辺部１２１の前側とがそれぞれの中央部で交差するように接し、第一後辺部１１２の前側と第二後辺部１２２の後側とがそれぞれの中央部で交差するように接した状態で、第一枠部材１１と第二枠部材１２とを接続し、その接続部において回動可能とすることができる。
【００２２】
第一接続ピン１３１及び第二接続ピン１３２としては、第一枠部材１１と、第二枠部材１２とを、第一接続ピン１３１及び第二接続ピン１３２を軸心として回動可能に接続可能であれば、任意の材料、形状のものを使用可能である。
ただし、第一枠部材１１と、第二枠部材１２とが、衛生用薄葉紙収納容器１００の使用時に、その自重によって回転してしまうことがなく、かつ、使用者が手でこれを回転させる際には容易に回転させることができる程度の強度をもって、第一枠部材１１と、第二枠部材１２とを接続できるものである必要がある。
【００２３】
｛外装部｝
外装部２は、図１に示すように、上部に上部開口部２１１を備え、側部に側部開閉部２１２を備えた袋状の部材である外装部本体２１と、外装部２の上部開口部２１１を覆うように配置され、内部の衛生用薄葉紙Ｐを取り出すための取出孔２２１を備えた取出孔形成部２２と、から形成されている。
【００２４】
（外装部本体）
外装部本体２１は、伸縮性を有し、通気性、通水性を有しない材料、例えば、クロロプレンゴムやラテックス等によって形成された袋状の部材であり、上部に上部開口部２１１を備え、側部に側部開閉部２１２を備える。
【００２５】
外装部２の大きさとしては、図１に示すように内部に骨格部１を収納可能であり、骨格部１を覆った際に、骨格部１にフィットした略直方体状となる大きさである必要がある。
ただし、外装部２は一定の伸縮性を有することから、その大きさを厳密に骨格部１に合致させることを要しない。また、外装部２が伸縮性を有することによって、第一枠部材１１と第二枠部材１２とが回動し、骨格部１の形状が変形した場合には、外装部２の形状もこれに対応して変形し、常に骨格部１にフィットした状態とすることができる。
【００２６】
（上部開口部）
上部開口部２１１は、外装部本体２１の上部に形成された矩形状の開口部であり、好ましくは長辺80ｍｍから110ｍｍ、短辺50ｍｍから70ｍｍの矩形状、さらに好ましくは長辺80ｍｍから105ｍｍ、短辺50ｍｍから60ｍｍの矩形状に形成される。
【００２７】
（側部開閉部）
側部開閉部２１２は、外装部本体２１の側面に、一辺を残した矩形状に切り込みをいれ、当該切り込みにファスナーを備えることによって、外装部本体２１の側面に開閉自在の開口部を形成したものであり、内部の衛生用薄葉紙Ｐの出し入れ等に用いられる。
側部開閉部２１２の大きさとしては、内部の衛生用薄葉紙Ｐを出し入れし易い大きさを有することが望ましく、好ましくは長辺100ｍｍから110ｍｍ、短辺50ｍｍから70ｍｍの矩形状、さらに好ましくは長辺100ｍｍから110ｍｍ、短辺50ｍｍから60ｍｍの矩形状に形成される。
【００２８】
（取出孔形成部）
取出孔形成部２２は、TPE（熱可塑性エラストマー）等の材料によって形成され、中央部に取出孔２２１を備えたシート状の部材であり、外装部本体２１の上部開口部２１１を覆うようにして、外装部本体２１に貼付されている。取出孔形成部２２は、上部開口部２１１を覆うことができるよう、上部開口部２１１よりも僅かに大型の矩形状に形成されている。
【００２９】
（取出孔）
取出孔２２１は、衛生用薄葉紙収納容器１００の使用者が、内部の衛生用薄葉紙Ｐを取り出すための孔部であり、図１に示すように、取出孔形成部２２の中央部に左右方向に切り込みを入れるようにして形成されている。
取出孔２２１の長さとしては、衛生用薄葉紙収納容器１００の使用者が指を入れて内部の衛生用薄葉紙Ｐを引き出すことができる程度の大きさを有する必要があり、好ましくは、端部から端部までの長さが、50ｍｍから70ｍｍ、さらに好ましくは50から60ｍｍの切り込みとして形成される。
なお、取出孔２２１の形状としては、図１においてはジグザグ状の切り込みとして形成された場合について図示したが、これに限られず、例えば直線状の切り込みとして形成されていてもよい。
【００３０】
［実施形態の効果］
本実施形態に係る衛生用薄葉紙収納容器１００によれば、骨格部１の第一枠部材１１と、第二枠部材１２とを、第一接続ピン１３１及び第二接続ピン１３２を介して回動させることによって、衛生用薄葉紙収納容器１００の形状を、図４（ａ）に示すような上下方向に長い形状と、図４（ｂ）に示すような左右方向に長い形状との間で変形させることができる。
これによって、使用する衛生用薄葉紙Ｐの形状に合わせて衛生用薄葉紙収納容器１００の形状を変形させることが可能となり、様々な形態の衛生用薄葉紙に対して使用することができる衛生用薄葉紙収納容器を提供することできる。
【００３１】
特に、一般に、図２（ａ）に示すロール状衛生用薄葉紙Ｐ１は鉛直方向に長く、図２（ｂ）に示す積層状衛生用薄葉紙Ｐ２は水平方向に長く形成されるが、本実施形態に係る衛生用薄葉紙収納容器１００によれば、骨格部１を上下方向に長くすることでロール状衛生用薄葉紙Ｐ１に対応した形状とし、骨格部１を左右方向に長くすることで積層状衛生用薄葉紙Ｐ２に対応した形状とすることができる。
【００３２】
また、衛生用薄葉紙収納容器１００の不使用時には、骨格部１を上下方向又は左右方向に潰すことで、衛生用薄葉紙収納容器１００を略扁平な状態とすることが可能となり、不使用時の収納も容易となる。
【００３３】
［変形例］
以下、本実施形態の変形例につき説明する。なお、いずれの変形例についても、以下において説明する部分以外は、上記実施形態に係る衛生用薄葉紙収納容器１００と同様であることから、同一の符号を付して説明を省略する。
【００３４】
｛変形例１｝
変形例１は、図５に示すように、骨格部につき、第一枠部材１１Ａ及び第二枠部材１２Ａに加え、さらに第三枠部材１４及び第四枠部材１５を備え、２段構造となる骨格部１Ａとしたものである。
【００３５】
（第一枠部材）
第一枠部材１１Ａは、図５に示すように、第一上辺部１１３を有しない。また、第一前辺部１１１Ａは、上端部に、Ｘ軸方向にこれを貫通する上部接続孔１１１ｂを備え、第一後辺部１１２Ａは、上端部に、Ｘ軸方向にこれを貫通する上部接続孔（図示せず。）を備える。それ以外は、上記実施形態に係る第一枠部材１１と同様である。
【００３６】
（第二枠部材）
第二枠部材１２Ａは、第二前辺部１２１Ａが、上端部前方に、後方へ凹状となる上部接続穴（図示せず。）を備え、第二後辺部１２２Ａが、上端部後方に、前方へ凹状となる上部接続穴（図示せず。）を備える。それ以外は、上記実施形態に係る第二枠部材１２と同様である。
【００３７】
（第三枠部材）
第三枠部材１４は、図５に示すように、４本の棒状の部材、すなわち、第三前辺部１４１と、第三後辺部１４２と、第三上辺部１４３と、第三下辺部１４４と、を有し、第二枠部材１２Ａと略同一の矩形状に形成されている。
第三前辺部１４１は、中央部に、Ｘ軸方向にこれを貫通する中央部接続孔（図示せず。）を備え、下端部前方に、後方へ凹状となる下部接続穴（図示せず。）を備える。また、第三後辺部１４２は、中央部に、Ｘ軸方向にこれを貫通する中央部接続孔１４２ａを備え、下端部後方に、前方へ凹状となる下部接続穴（図示せず。）を備える。
第三枠部材１４を形成する材料としては、第一枠部材１１Ａ及び第二枠部材１２Ａと同様、例えば、鉄、アルミ等の金属や、ＰＥ（ポリエチレン）、ＰＰ（ポリプロピレン）、ＰＥＴ（ポリエチレンテレフタレート）、ＡＢＳ等の樹脂が用いられる。
【００３８】
（第四枠部材）
第四枠部材１５は、図５に示すように、３本の棒状の部材、すなわち、第四前辺部１５１と、第四後辺部１５２と、第四上辺部１５３と、を有し、第一枠部材１１Ａと略同一の矩形状に形成されている。
第四前辺部１５１は、中央部に、Ｘ軸方向にこれを貫通する中央部接続孔１５１ａを備え、下端部に、Ｘ軸方向にこれを貫通する下部接続孔１５１ｂを備える。また、第四後辺部１５２は、中央部に、Ｘ軸方向にこれを貫通する中央部接続孔（図示せず。）を備え、下端部に、Ｘ軸方向にこれを貫通する下部接続孔（図示せず。）を備える。
第四枠部材１５を形成する材料としては、第一枠部材１１Ａ、第二枠部材１２Ａ及び第三枠部材１４と同様、例えば、鉄、アルミ等の金属や、ＰＥ（ポリエチレン）、ＰＰ（ポリプロピレン）、ＰＥＴ（ポリエチレンテレフタレート）、ＡＢＳ等の樹脂が用いられる。
【００３９】
（第三接続ピン及び第四接続ピン）
図５に示すように、第三接続ピン１３３は、第三前辺部１４１の中央部接続孔（図示せず。）と、第四前辺部１５１の中央部接続孔１５１ａとを挿通する部材であり、第四接続ピン１３４は、第三後辺部１４２の中央部接続孔１４２ａと、第四後辺部１５２の中央部接続孔（図示せず。）とを挿通する部材である。
これによって、図５に示すように、第四枠部材１５の内側に第三枠部材１４が挿入され、第四前辺部１５１の後側と第三前辺部１４１の前側とがそれぞれの中央部で交差するように接し、第四後辺部１５２の前側と第三後辺部１４２の後側とがそれぞれの中央部で交差するように接した状態で、第三枠部材１４と第四枠部材１５とを接続し、その接続部において回動可能とすることができる。
【００４０】
（第五接続ピン及び第六接続ピン）
図５に示すように、第五接続ピン１３５は、第一前辺部１１１Ａの上部接続孔１１１ｂを挿通して、第三前辺部１４１の下部接続穴（図示せず。）に挿入される部材であり、第六接続ピン（図示せず。）は、第一後辺部１１２Ａの上部接続孔（図示せず。）を挿通して、第三後辺部１４２の下部接続穴（図示せず。）に挿入される部材である。
これによって、図５に示すように、第一枠部材１１Ａの上端部の内側に第三枠部材１４の下端部が挿入され、第一前辺部１１１Ａの上端部後側と第三前辺部１４１の下端部前側とが接し、第一後辺部１１２の上端部前側と第三後辺部１４２の下端部後側とが接した状態で、第一枠部材１１Ａと第三枠部材１４とを接続し、その接続部において回動可能とすることができる。
【００４１】
（第七接続ピン及び第八接続ピン）
図５に示すように、第七接続ピン１３６は、第四前辺部１５１の下部接続孔１５１ｂを挿通して、第二前辺部１２１Ａの上部接続穴（図示せず。）に挿入される部材であり、第八接続ピン（図示せず。）は、第四後辺部１５２の下部接続孔（図示せず。）を挿通して、第二後辺部１２２Ａの上部接続穴（図示せず。）に挿入される部材である。
これによって、図５に示すように、第四枠部材１５の下端部の内側に第二枠部材１２Ａの上端部が挿入され、第四前辺部１５１の下端部後側と第二前辺部１２１Ａの上端部前側とが接し、第四後辺部１５２の下端部前側と第二後辺部１２２Ａの上端部後側とが接した状態で、第二枠部材１２Ａと第四枠部材１５とを接続し、その接続部において回動可能とすることができる。
【００４２】
なお、第三接続ピン１３３、第四接続ピン１３４、第五接続ピン１３５、第六接続ピン（図示せず。）、第七接続ピン１３６及び第八接続ピン（図示せず。）のいずれについても、第一接続ピン１３１及び第二接続ピン１３２と同様、接続した各枠部材がこれらの接続ピンを軸心として回動可能に接続されるものであれば任意の材料、形状のものを使用可能であるが、各枠部材が衛生用薄葉紙収納容器の自重によって回転してしまうことがなく、かつ、使用者が手でこれを回転させる際には容易に回転させることができる程度の強度をもって、各枠部材を接続できるものである必要がある。
【００４３】
（外装部）
変形例１においては、外装部が、内部に骨格部１Ａを収納可能であり、骨格部１Ａを覆った際に、骨格部１Ａにフィットした略直方体状となるように、上記実施形態に係る外装部２と比較して大型に形成される。この点を除き、上記外装部２と同様である。
【００４４】
（変形例１の効果）
変形例１によれば、骨格部１Ａを上下方向に長く伸ばすことが可能となり、上下方向に非常に大きい衛生用薄葉紙Ｐにも対応することが可能となる。
なお、枠部材の数を増加させずに、第一枠部材１１の第一前辺部１１１及び第一後辺部１１２並びに第二枠部材１２の第二前辺部１２１及び第二後辺部１２２の長さを長くすることによっても、骨格部を上下方向に長く伸ばすことは可能となるが、この場合、上下方向に潰した際の左右方向の長さも長くなってしまうことから、不使用時に衛生用薄葉紙収納容器をコンパクトにすることが不可能となる。
変形例１によれば、このような弊害を生じさせることなく、上下方向に非常に大きい衛生用薄葉紙Ｐにも対応することが可能となる。
なお、さらなる枠部材を備え、骨格部を３段以上とすることも可能である。この場合、骨格部を上下方向にさらに長く伸ばすことが可能となり、さらに上下方向に大きい衛生用薄葉紙Ｐにも対応することが可能となる。
【００４５】
｛変形例２｝
変形例２には、図６に示すように、骨格部につき、バネによって形状を変形させることができる骨格部１Ｂとしたものである。
【００４６】
骨格部１Ｂは、図６に示すように、１２本の棒状の部材、すなわち、上部前辺部１６１と、上部後辺部１６２と、上部左辺部１６３と、上部右辺部１６４と、下部前辺部１６５と、下部後辺部１６６と、下部左辺部１６７と、下部右辺部１６８と、左前縦辺部１６９と、右前縦辺部１７０と、左後縦辺部１７１と、右後縦辺部１７２とによって、略直方体状に形成されている。
【００４７】
いずれの辺部についても中央部に長さを調整する調整部Ｃを有する。調整部Ｃとしては、図６に示したようにバネを用いることができる。
また、いずれの辺部についても、好ましくは、調整部Ｃを伸ばしていない状態において60から100ｍｍ、調整部Ｃを伸ばした状態において180ｍｍから230ｍｍの長さを有し、さらに好ましくは、調整部Ｃを伸ばしていない状態において60から80ｍｍ、調整部Ｃを伸ばした状態において180から200ｍｍの長さを有する。
【００４８】
変形例２によれば、内部に収納される衛生用薄葉紙Ｐの大きさに応じて調整部Ｃを伸縮させることで、様々な形態の衛生用薄葉紙に対応することが可能となる。
【符号の説明】
【００４９】
１００  衛生用薄葉紙収納容器
１、１Ａ  骨格部
１１、１１Ａ  第一枠部材
１２、１２Ａ  第二枠部材
１４  第三枠部材
１５  第四枠部材
１６１  上部前辺部
１６２  上部後辺部
１６３  上部左辺部
１６４  上部右辺部
１６５  下部前辺部
１６６  下部後辺部
１６７  下部左辺部
１６８  下部右辺部
１６９  左前縦辺部
１７０  右前縦辺部
１７１  左後縦辺部
１７２  右後縦辺部
２  外装部
２２１  取出孔
Ｃ  調整部
Ｐ  衛生用薄葉紙
【図１】
2019137407.tif 000003
【図２】
2019137407.tif 000004
【図３】
2019137407.tif 000005
【図４】
2019137407.tif 000006
【図５】
2019137407.tif 000007
【図６】
2019137407.tif 000008